(57)【要約】【課題】衣類の発注者が製造者に伝達する体形情報の精度を向上させる。【解決手段】情報処理装置において、表示制御部３１は、形状及び大きさに関するパラメータが設定された１以上の人物モデルを表示部に表示させる。モデル選択受付部は、前記１以上の人物モデルの中から１つの人物モデルを選択する選択操作をユーザから受け付ける。パラメータ変更部３４は、選択された前記人物モデルに対する前記ユーザからの変更操作に連動して、前記人物モデルに設定された前記パラメータを変更する。【選択図】図２
2018180989.tif 000002
【特許請求の範囲】
【請求項１】
コンピュータに、
形状及び大きさに関するパラメータが設定された１以上の人物モデルを表示部に表示させる表示制御機能と、
前記１以上の人物モデルの中から１つの人物モデルを選択する選択操作をユーザから受け付けるモデル選択受付機能と、
選択された前記人物モデルに対する前記ユーザからの変更操作に連動して、前記人物モデルに設定された前記パラメータを変更するパラメータ変更機能と、
を実現させるプログラム。
【請求項２】
前記人物モデルは、それぞれ複数の部位によって構成されており、
前記プログラムは、前記コンピュータに、前記複数の部位の中から特定部位を選択する選択操作をユーザから受け付ける部位選択受付機能をさらに実現させ、
前記パラメータ変更機能は、選択された前記特定部位に対する前記ユーザからの変更操作に連動して、前記特定部位に設定された前記パラメータを変更する、
請求項１に記載のプログラム。
【請求項３】
前記表示制御機能は、前記パラメータ変更機能による前記パラメータの変更に連動して、前記人物モデルのうち前記特定部位の形状又は大きさを連続的に変化させて前記表示部に表示させる、
請求項２に記載のプログラム。
【請求項４】
前記コンピュータに、
前記変更操作を受け付ける操作領域を、前記表示部に表示させる操作領域表示機能をさらに実現させる、
請求項２又は３に記載のプログラム。
【請求項５】
前記コンピュータに、
前記操作領域に延在する第１オブジェクトと、前記ユーザの操作に応じて前記第１オブジェクト上を移動する第２オブジェクトとを前記表示部に表示させるオブジェクト表示機能をさらに実現させ、
前記パラメータ変更機能は、前記第２オブジェクトの変位量及び変位方向に基づいて前記パラメータを変更する、
請求項４に記載のプログラム。
【請求項６】
前記コンピュータに、
前記人物モデルと関連付けられた人物の体格を示す体形情報の入力を受け付ける体形情報受付機能をさらに実現させ、
前記オブジェクト表示機能は、前記体形情報に基づいて、前記第２オブジェクトが移動可能な範囲を設定する、
請求項５に記載のプログラム。
【請求項７】
前記オブジェクト表示機能は、前記操作領域において、前記第１オブジェクトが延在する方向とは異なる方向に向かって延在する第３オブジェクトと、前記ユーザの操作に応じて前記第３オブジェクト上を移動する第４オブジェクトとをさらに前記表示部に表示させ、
前記パラメータ変更機能は、
前記形状に関するパラメータのうち、前記第２オブジェクトの変位方向に対応するパラメータを前記第２オブジェクトの変位量に基づいて変更し、前記第４オブジェクトの変位方向に対応するパラメータを前記第４オブジェクトの変位量に基づいて変更する、
請求項５又は６に記載のプログラム。
【請求項８】
前記コンピュータに、
前記人物モデルに着用させる下着の選択を受け付ける下着選択受付機能をさらに実現させ、
前記表示制御機能は、下着を着用した前記人物モデルを前記表示部に表示させるとともに、当該下着の端部を基準とする前記複数の部位それぞれまでの距離を示すインジケータを前記表示部に表示させる、
請求項２から７のいずれか一項に記載のプログラム。
【請求項９】
前記コンピュータに、
前記人物モデルに対応する着用者を被写体に含む画像データを取得する画像取得機能と、
前記画像データに基づいて、前記人物モデルにおけるパラメータを設定するパラメータ設定機能と、
をさらに実現させる請求項１から７のいずれか一項に記載のプログラム。
【請求項１０】
請求項１から９のいずれか一項に記載のプログラムを格納した、コンピュータが読み出し可能な記録媒体。
【請求項１１】
プロセッサが、
形状及び大きさに関するパラメータが設定された１以上の人物モデルを表示部に表示させるステップと、
前記１以上の人物モデルの中から１つの人物モデルを選択する選択操作をユーザから受け付けるステップと、
選択された前記人物モデルに対する前記ユーザからの変更操作に連動して、前記人物モデルに設定された前記パラメータを変更するステップと、
を実行する情報処理方法。
【請求項１２】
形状及び大きさに関するパラメータが設定された１以上の人物モデルを表示部に表示させる表示制御部と、
前記１以上の人物モデルの中から１つの人物モデルを選択する選択操作をユーザから受け付けるモデル選択受付部と、
選択された前記人物モデルに対する前記ユーザからの変更操作に連動して、前記人物モデルに設定された前記パラメータを変更するパラメータ変更部と、
を備える情報処理装置。
【発明の詳細な説明】
【技術分野】
【０００１】
本発明は、プログラム、記録媒体、情報処理方法、及び情報処理装置に関し、特に、オンラインで衣類を受注する技術に関する。
【背景技術】
【０００２】
従来、消費者の身体測定値を受信し、消費者の通常のサイズと衣類の製造者サイズとを比較して、消費者にフィットする可能性が最も高い衣類を選択する技術が開示されている。
【先行技術文献】
【特許文献】
【０００３】
【特許文献１】米国特許出願公開第２００６／２８７８７７号明細書
【発明の概要】
【発明が解決しようとする課題】
【０００４】
上記のような技術により、消費者は自身の身体のサイズに合った衣類を見つける可能性を高めることはできる。しかしながら、身体のサイズや形状は消費者によって様々であり、また衣類のサイズに関する好みも着用者によって様々である。このため、好みを含めたサイズに関する情報を正確に衣類の製造者に伝えることは困難である。
【０００５】
本発明はこれらの点に鑑みてなされたものであり、衣類の発注者が製造者に伝達する体形情報の精度を向上させる技術を提供することを目的とする。
【課題を解決するための手段】
【０００６】
本発明の第１の態様は、プログラムである。このプログラムは、コンピュータに、形状及び大きさに関するパラメータが設定された１以上の人物モデルを表示部に表示させる表示制御機能と、前記１以上の人物モデルの中から１つの人物モデルを選択する選択操作をユーザから受け付けるモデル選択受付機能と、選択された前記人物モデルに対する前記ユーザからの変更操作に連動して、前記人物モデルに設定された前記パラメータを変更するパラメータ変更機能と、を実現させる。
【０００７】
前記人物モデルは、それぞれ複数の部位によって構成されてもよく、前記プログラムは、前記コンピュータに、前記複数の部位の中から特定部位を選択する選択操作をユーザから受け付ける部位選択受付機能をさらに実現させてもよく、前記パラメータ変更機能は、選択された前記特定部位に対する前記ユーザからの変更操作に連動して、前記特定部位に設定された前記パラメータを変更してもよい。
【０００８】
前記表示制御機能は、前記パラメータ変更機能による前記パラメータの変更に連動して、前記人物モデルのうち前記特定部位の形状又は大きさを連続的に変化させて前記表示部に表示させてもよい。
【０００９】
前記プログラムは、前記コンピュータに、前記変更操作を受け付ける操作領域を、前記表示部に表示させる操作領域表示機能をさらに実現させてもよい。
【００１０】
前記プログラムは、前記コンピュータに、前記操作領域に延在する第１オブジェクトと、前記ユーザの操作に応じて前記第１オブジェクト上を移動する第２オブジェクトとを前記表示部に表示させるオブジェクト表示機能をさらに実現させてもよく、前記パラメータ変更機能は、前記第２オブジェクトの変位量及び変位方向に基づいて前記パラメータを変更してもよい。
【００１１】
前記プログラムは、前記コンピュータに、前記人物モデルと関連付けられた人物の体格を示す体形情報の入力を受け付ける体形情報受付機能をさらに実現させてもよく、前記オブジェクト表示機能は、前記体形情報に基づいて、前記第２オブジェクトが移動可能な範囲を設定してもよい。
【００１２】
前記オブジェクト表示機能は、前記操作領域において、前記第１オブジェクトが延在する方向とは異なる方向に向かって延在する第３オブジェクトと、前記ユーザの操作に応じて前記第３オブジェクト上を移動する第４オブジェクトとをさらに前記表示部に表示させてもよく、前記パラメータ変更機能は、前記形状に関するパラメータのうち、前記第２オブジェクトの変位方向に対応するパラメータを前記第２オブジェクトの変位量に基づいて変更し、前記第４オブジェクトの変位方向に対応するパラメータを前記第４オブジェクトの変位量に基づいて変更してもよい。
【００１３】
前記プログラムは、前記コンピュータに、前記人物モデルに着用させる下着の選択を受け付ける下着選択受付機能をさらに実現させてもよく、前記表示制御機能は、下着を着用した前記人物モデルを前記表示部に表示させるとともに、当該下着の端部を基準とする前記複数の部位それぞれまでの距離を示すインジケータを前記表示部に表示させてもよい。
【００１４】
前記プログラムは、前記コンピュータに、前記人物モデルに対応する着用者を被写体に含む画像データを取得する画像取得機能と、前記画像データに基づいて、前記人物モデルにおけるパラメータを設定するパラメータ設定機能と、をさらに実現させてもよい。
【００１５】
本発明の第２の態様は、上述のプログラムを格納した、コンピュータが読み出し可能な記録媒体である。
【００１６】
本発明の第３の態様は、情報処理方法である。この方法は、プロセッサが、形状及び大きさに関するパラメータが設定された１以上の人物モデルを表示部に表示させるステップと、前記１以上の人物モデルの中から１つの人物モデルを選択する選択操作をユーザから受け付けるステップと、選択された前記人物モデルに対する前記ユーザからの変更操作に連動して、前記人物モデルに設定された前記パラメータを変更するステップと、を実行する。
【００１７】
本発明の第４の態様は、情報処理装置である。この装置は、形状及び大きさに関するパラメータが設定された１以上の人物モデルを表示部に表示させる表示制御部と、前記１以上の人物モデルの中から１つの人物モデルを選択する選択操作をユーザから受け付けるモデル選択受付部と、選択された前記人物モデルに対する前記ユーザからの変更操作に連動して、前記人物モデルに設定された前記パラメータを変更するパラメータ変更部と、を備える。
【００１８】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１９】
本発明によれば、衣類の発注者が製造者に伝達する体形情報の精度を向上させることができる。
【図面の簡単な説明】
【００２０】
【図１】実施の形態に係る衣類受注製造システムの概要を模式的に示す図である。
【図２】実施の形態に係る衣類受注管理装置の機能構成を模式的に示す図である。
【図３】実施の形態に係る通信端末が表示する体形情報入力画面の一例を示す図である。
【図４】実施の形態に係る受付部の機能構成を模式的に示す図である。
【図５】実施の形態に係る表示制御部の機能構成を模式的に示す図である。
【図６】実施の形態に係る通信端末が表示する人物モデル選択画面の一例を示す図である。
【図７】実施の形態に係る通信端末が表示する下着選択画面の一例を示す図である。
【図８】実施の形態に係る通信端末が表示する変更操作画面の一例を示す図である。
【図９】実施の形態に係る通信端末が表示する変更操作画面の別の例を示す図である。
【図１０】実施の形態に係るパラメータデータベースのデータ構造を模式的に示す図である。
【図１１】実施の形態に係る可動範囲設定データベースのデータ構造を模式的に示す図である。
【図１２】実施の形態に係る衣類受注管理装置が実行する情報処理の流れを説明するためのフローチャートである。
【発明を実施するための形態】
【００２１】
＜実施の形態の概要＞
図１を参照して、実施の形態の概要を述べる。
図１は、実施の形態に係る衣類受注製造システムＳの概要を模式的に示す図である。衣類受注製造システムＳは、衣類受注管理装置１、無縫製編み機制御装置２、無縫製編み機３、プラント４、及び店舗５を含む。
【００２２】
衣類受注管理装置１は、インターネット等のネットワークを介して、発注者である複数のユーザＵそれぞれの通信端末Ｔと通信する。衣類受注管理装置１は、衣類受注管理装置１が扱う衣類のデザイナＤの情報端末とも通信可能な態様で接続している。衣類受注管理装置１はさらに、無縫製編み機制御装置２とも通信可能な態様で接続している。
【００２３】
衣類受注管理装置１は、ユーザＵの通信端末Ｔに対して、衣類のオーダーメイド機能を提供する。衣類受注管理装置１は、ユーザＵの通信端末Ｔから、ユーザＵが購入を希望する衣類を特定するための衣類情報と、その衣類の着用者の体格を示す体形情報とを取得する。ここで、着用者はユーザＵと同一であってもよいが、例えばユーザＵが家族や友人に衣類をプレゼントする場合など、自分以外の人に着用させる目的で衣類を発注する場合には、着用者がユーザＵと異なっていてもよい。体形情報は、着用者の身長や胸囲、首回り等の基本的な情報のみならず、着用者の骨格に関する情報（例えば、着用者が骨太か、華奢か等を示す情報）も含まれる。
【００２４】
無縫製編み機制御装置２は、１以上の無縫製編み機３と通信可能であり、各無縫製編み機３の動作を制御する。無縫製編み機制御装置２は、衣類受注管理装置１から、ユーザＵが発注した衣類を製造するための製造情報を取得する。無縫製編み機制御装置２は、取得した衣類の製造情報に基づいて、その衣類を製造するために用いる無縫製編み機３を選択する。無縫製編み機制御装置２は次いで、選択した無縫製編み機３に製造情報を送信し、無縫製編み機３に衣類を製造させる。
【００２５】
無縫製編み機３は、プラント４において作られた構造タンパク質からなる繊維等を原料とし、無縫製編み機制御装置２から受信した製造情報に基づいて衣類を編み上げる装置である。無縫製編み機３は、衣類を一着丸ごと立体的に編み上げることができる。衣類の製造に無縫製編み機３を用いる場合には、衣類の各パーツを生地から切り取り縫製する工程（カット＆ソー）は基本的に不要となる。このため、無縫製編み機３で製造された衣類は、裁断によって捨てられる材料がなく、無駄が少ない。
【００２６】
また、図１において、店舗５は無縫製編み機３が製造した衣類をユーザＵに提供するための店舗である。店舗５の具体例は、クリーニング店、コンビニエンスストア、各種ショッピングセンター等である。店舗５の別の例は、配送業者等の配送センターである。前者の例の場合、ユーザＵは店舗５の店頭に赴くことで衣類を受け取る。後者の場合、ユーザＵは自宅等の指定した場所に注文した衣類を配送させることができる。
【００２７】
ところで、インターネット等のネットワークを介して衣類受注管理装置１に衣類を注文する場合、ユーザＵは、衣類のサンプル等を取り寄せる等の手間を取らない限り、注文前に着用者が衣類を試着することはできない。このため、ユーザＵは、注文時に着用者の体形情報をなるべく正確に衣類受注管理装置１に伝達することが望ましい。一方で、体形情報の正確性のためとはいえ、衣類の注文時における体形情報の入力が複雑であったり、入力に時間を要したりするようであっては、ユーザＵの購入意欲を減退しかねない。
【００２８】
そのため、実施の形態に係る衣類受注管理装置１は、ユーザＵの通信端末Ｔの表示部に、形状及び大きさに関するパラメータが設定された１以上の人物モデルを、いわゆるＧＵＩ（Graphical User Interface）の形式で表示させる。ユーザＵが通信端末Ｔの表示部に表示されたＧＵＩにおいて人物モデルに対する変更操作を実施すると、実施の形態に係る衣類受注管理装置１は、ユーザＵからの変更操作に連動して、人物モデルに設定されたパラメータを変更する。ユーザＵはＧＵＩに表示された人物モデルを見ながら直感的な操作をすることにより、着用者の体形情報を短時間で正確に衣類受注管理装置１に伝えることができる。
【００２９】
以下、衣類受注製造システムＳを構成する衣類受注管理装置１についてより詳細に説明する。
【００３０】
＜衣類受注管理装置１の機能構成＞
図２は、実施の形態に係る衣類受注管理装置１の機能構成を模式的に示す図である。実施の形態に係る衣類受注管理装置１は、例えばクラウドサーバ等のクラウドコンピューティングの計算リソースによって実現される。衣類受注管理装置１は、通信部１０、記憶部２０、及び制御部３０を備える。衣類受注管理装置１は、ユーザＵの通信端末Ｔからみると、通信端末Ｔの要求に対して応答するウェブサーバ又はそれと同等のサーバとして機能する。
【００３１】
図２は、実施の形態に係る衣類受注管理装置１と通信端末Ｔとの間で行われる処理を実現するための機能構成を示しており、例えば無縫製編み機制御装置２との間で行われる処理を実現するための構成等、その他の構成は省略している。図２において、様々な処理を行う機能ブロックとして記載される各要素は、ハードウェア的には、ＣＰＵ（Central Processing Unit）やＧＰＵ（Graphics Processing Unit）、メインメモリ、その他のＬＳＩ（Large Scale Integration）で構成することができる。またソフトウェア的には、メインメモリにロードされたプログラムなどによって実現される。したがって、これらの機能ブロックがハードウェアのみ、ソフトウェアのみ、又はそれらの組み合わせによっていろいろな形で実現できることは当業者には理解されるところであり、いずれかに限定されるものではない。
【００３２】
通信部１０は、衣類受注管理装置１がユーザＵの通信端末Ｔと通信するための通信インタフェースである。通信部１０は、例えばＷｉ−Ｆｉ（登録商標）モジュールやＬＡＮ（Local Area Network）モジュール等の既知の通信モジュールによって実現される。
【００３３】
記憶部２０は、衣類受注管理装置１を実現するコンピュータのＢＩＯＳ（Basic Input Output System）等を格納するＲＯＭ（Read Only Memory）や衣類受注管理装置１の作業領域となるＲＡＭ（Random Access Memory）、ＯＳ（Operating System）やアプリケーションプログラム、当該アプリケーションプログラムの実行時に参照される種々の情報を格納するＨＤＤ（Hard Disk Drive）やＳＳＤ（Solid State Drive）等の大容量記憶装置である。
【００３４】
制御部３０は、衣類受注管理装置１のＣＰＵやＧＰＵ等のプロセッサであり、記憶部２０に記憶されたプログラムを実行することによって、表示制御部３１、受付部３２、パラメータ設定部３３、及びパラメータ変更部３４として機能する。
【００３５】
以下、図２から図１１を適宜参照しながら、実施の形態に係る衣類受注管理装置１の機能構成、及び通信端末Ｔの表示部に表示されるＧＵＩについて説明する。
【００３６】
表示制御部３１は、ユーザＵの通信端末Ｔに表示させるＧＵＩを制御する。より具体的には、表示制御部３１は、制御部３０の各部の機能を実現するためのＧＵＩを通信部１０を介して通信端末Ｔに提供する。以下、実施の形態に係る衣類受注管理装置１の各部は、表示制御部３１及び通信部１０を介して通信端末Ｔの表示部にＧＵＩを表示させることを前提として、その記載を省略することがある。
【００３７】
図３は、実施の形態に係る通信端末Ｔが表示する体形情報入力画面の一例を示す図である。体形情報入力画面において、ユーザＵは、衣類の着用者の体形に関する基本情報を入力することができる。
【００３８】
図３に示す例では、ユーザＵは、衣類の着用者の体形情報として、性別が「男性」、身長が「１７３ｃｍ」、体重が「６３ｋｇ」であることを入力している。ユーザＵは、もし着用者の体脂肪率を知っているならば、付加情報として着用者の体脂肪率を入力することもできる。なお、図示はしないが、ユーザＵは体形情報入力画面を介して、着用者の骨格に関する体形情報を入力してもよい。具体的には、ユーザＵは、着用者が「骨太」なのか、「華奢」なのか、あるいは「普通」であるのかを示す情報を入力してもよい。
【００３９】
身長及び体重は、衣類の着用者の体形を決定するための基本的な情報となる。また、一般に男性と女性とは体形が異なるため、性別も着用者の体形を決定するための有用な情報となる。また、着用者の「体脂肪率」は着用者の肉付きを推定する際の手掛かりとなる。また、着用者の「骨格」は着用者の外形推定する有用な情報となる。さらに、着用者の体重において「骨の重さ」が占める割合は大きいため、骨の量を示す「骨格に関する情報」は、着用者の肉付きを推定する際の手掛かりとなる。
【００４０】
受付部３２は、ユーザＵの通信端末Ｔに表示されたＧＵＩにおける操作を受け付ける。
図４は、実施の形態に係る受付部３２の機能構成を模式的に示す図である。受付部３２は、体形情報受付部３２０、モデル選択受付部３２１、変更操作受付部３２２、下着選択受付部３２３、及び部位選択受付部３２４を含む。
【００４１】
体形情報受付部３２０は、体形情報入力画面を介してユーザＵが入力した、衣類の着用者の体格を示す体形情報の入力を受け付ける。パラメータ設定部３３は、体形情報受付部３２０が受け付けた体形情報に基づいて、通信端末Ｔの表示部に表示させる人物モデルのパラメータを設定する。表示制御部３１は、パラメータ設定部３３が設定したパラメータに基づいて人物モデルを生成し、通信端末Ｔの表示部に表示させる。
【００４２】
なお、体形情報受付部３２０は、体形情報入力画面を介してユーザＵから体形情報の入力を受け付けることに替えて、あるいはこれに加えて、ユーザＵから着用者を被写体に含む画像データを取得してもよい。この場合、体形情報受付部３２０は、着用者を被写体に含む画像データを取得する画像取得部として機能することになる。これは、例えばユーザＵが通信端末Ｔのカメラ機能を用いて着用者を撮像し、衣類受注管理装置１にアップロードすることで実現できる。
【００４３】
パラメータ設定部３３は、体形情報受付部３２０が取得した画像を解析することによって着用者の体形情報を推定し、人物モデルのパラメータを設定するようにしてもよい。このため、表示制御部３１は、着用者の撮像する際に通信端末Ｔの表示部に長さの基準となる被写体（例えば３０ｃｍの定規や、家庭用コンセント又はスイッチ用のカバー等の規格品等）を含めることを指示するためのメッセージを表示させてもよい。これにより、パラメータ設定部３３は、長さの基準となる被写体に基づいて着用者の肩の形、体の各部位のサイズ等の体形情報を推定することができる。
【００４４】
図５は、実施の形態に係る表示制御部３１の機能構成を模式的に示す図である。表示制御部３１は、モデル表示部３１０、操作領域表示部３１１、及びオブジェクト表示部３１２を含む。
【００４５】
モデル表示部３１０は、パラメータ設定部３３によって形状及び大きさに関するパラメータが設定された人物モデルを生成する。例えば、モデル表示部３１０は、性別のパラメータが「男性」、身長のパラメータが「１７３ｃｍ」、体重のパラメータが「６３ｋｇ」であるならば、身長が１７３ｃｍ、体重が６３ｋｇである男性の人物モデを生成する。これはすなわち、体形情報受付部３２０は、モデル表示部３１０が生成する人物モデルと関連付けられた人物の体格を示す体形情報の入力を受け付ける受付部としても機能することを意味する。
【００４６】
一般に、身長、体重、及び性別のパラメータだけでは、モデル表示部３１０は着用者の体形を正確に特定することは難しい。例えば、身長、体重、及び性別のパラメータだけでは、着用者の肉付きや骨格まで特定することは困難である。
【００４７】
そこで、モデル表示部３１０は、体形情報受付部３２０が受け付けたが着用者の体形情報に基づいて設定されたパラメータにも基づいて、パラメータに矛盾しないいくつかの人物モデルのバリエーションを生成する。モデル表示部３１０は、体形情報受付部３２０が
体脂肪率や骨格に関する情報を受け付けている場合には、それらの情報に関して設定されたパラメータにも基づいて、パラメータに矛盾しないいくつかの人物モデルのバリエーションを生成する。
【００４８】
このように、モデル表示部３１０は、形状及び大きさに関するパラメータが設定された１以上の人物モデルを表示部に表示させる。
図６は、実施の形態に係る通信端末Ｔが表示する人物モデル選択画面の一例を示す図であり、モデル表示部３１０が生成して通信端末Ｔの表示部に表示させた画面である。図６に示す人物モデル選択画面は、標準的な体形の人物モデルと筋肉質の人物モデルとがそれぞれ「タイプＡ」及び「タイプＢ」として表示されている例を示している。
【００４９】
ユーザＵは、通信端末Ｔの表示部に表示された人物モデルをタップすることにより、着用者の体形に近い人物モデルを選択することができる。また、ユーザＵは、通信端末Ｔの表示部をスワイプすることにより、別のタイプの人物モデルを通信端末Ｔの表示部に表示させることができる。
【００５０】
モデル選択受付部３２１は、通信端末Ｔの表示部に表示された１以上の人物モデルの中から１つの人物モデルを選択するユーザＵの選択操作を受け付ける。モデル選択受付部３２１が受け付けた人物モデルは、ユーザＵが選択した人物モデルであるため、着用者の体形とある程度近いことが期待できる。しかしながら、モデル選択受付部３２１が受け付けた人物モデルは限られた体形情報に基づいて生成されたモデルであるため、着用者の体形にさらに近づけるためには修正を要する場合が多いと考えられる。
【００５１】
そこで、変更操作受付部３２２は、ユーザＵが選択した人物モデルに対するユーザＵからの変更操作を受け付ける。パラメータ変更部３４は、変更操作受付部３２２が受け付けた変更操作に連動して、人物モデルに設定されたパラメータを変更する。
【００５２】
ここで、人物モデルに設定されるパラメータには、人物モデルに着用させる下着の種類に関するパラメータも含まれる。着用者がユーザＵ自身である場合、ユーザＵは自身が普段着用している下着を基準とすることができれば、人物モデルにおける各部位の長さや幅等を定めることが容易となるからである。
【００５３】
図７は、実施の形態に係る通信端末Ｔが表示する下着選択画面の一例を示す図である。モデル表示部３１０は、モデル選択受付部３２１が受け付けた人物モデルに種々の異なる種類の下着を着用させた複数の人物モデルを生成し、通信端末Ｔに表示させる。ユーザＵは、通信端末Ｔの表示部に表示された人物モデルを選択することにより、人物モデルに着用させる下着を選択することができる。また、ユーザＵは、通信端末Ｔの表示部をスワイプすることにより、別の下着を着用した人物モデルを通信端末Ｔの表示部に表示させることができる。なお、ユーザＵによる人物モデルに着用させるべき下着の選択は、下着選択受付部３２３が受け付ける。
【００５４】
ここで、表示制御部３１は、下着を着用した人物モデルを通信端末Ｔの表示部に表示させるとともに、その下着の端部を基準とする人物モデルの各部位それぞれまでの距離を示すインジケータＩも表示部に表示させる。図７に示す例では、人物モデルが着用している下着の上端から、人物モデルの「へそ」までの距離を示すインジケータＩ１が表示されている。同様に、図７には、人物モデルが着用している下着の下端から、人物モデルの「腕先」までの距離を示すインジケータＩ２も表示されている。このように、ユーザＵは、人物モデルが着用する下着を基準として、各部位のサイズを測定することができる。
【００５５】
人間の体は、頭部、首部、胴部、腕部、及び脚部のように、複数の部位によって構成されている。したがって、人物モデルも複数の部位によって構成されており、各部位にはサイズに関するパラメータが設定されている。そこで、部位選択受付部３２４は、人物モデルの複数の部位の中から、パラメータを変更する特定部位を選択するための選択操作をユーザＵから受け付ける。この選択操作は、ユーザＵが通信端末Ｔの表示部に表示された人物モデルの部位をタップすることで実現できる。
【００５６】
図８（ａ）−（ｂ）は、実施の形態に係る通信端末Ｔが表示する変更操作画面の一例を示す図であり、人物モデルに設定されたウエスト及びヒップに関するパラメータの変更操作画面を示す図である。
【００５７】
パラメータ変更部３４は、ユーザＵが選択した特定部位に対するユーザＵからの変更操作に連動して、特定部位に設定されたパラメータを変更する。より具体的には、まず、操作領域表示部３１１は、ユーザＵの変更操作を受け付ける操作領域を、通信端末Ｔの表示部に表示させる。図８（ａ）−（ｂ）では、破線の矩形で囲まれた領域が操作領域４０である。
【００５８】
続いて、オブジェクト表示部３１２は、操作領域４０に延在する第１オブジェクト４１と、ユーザＵの操作に応じて第１オブジェクト４１上を移動する第２オブジェクト４２とを表示させる。
【００５９】
図８（ａ）に示す例において、ユーザＵが第２オブジェクト４２を図中右側にスライドさせると、変更操作受付部３２２は、第２オブジェクト４２の変位量及び変位方向（右方向）を変更操作として受け付ける。パラメータ変更部３４は、変更操作受付部３２２が受け付けた第２オブジェクト４２の変位量及び変位方向に基づいて、ウエスト及びヒップに設定されているパラメータを変更する。
【００６０】
モデル表示部３１０は、パラメータ変更部３４が変更したパラメータに基づいて、通信端末Ｔの表示部に表示させる人物モデルを変更する。図８（ｂ）は、ユーザＵによる第２オブジェクト４２の変更操作に連動してモデル表示部３１０が生成した人物モデルを表示している。図８（ａ）において斜線を付した矢印で示すように、ユーザＵはウエスト及びヒップを増加させる方向に第２オブジェクト４２を変位させたため、図８（ｂ）に示すようにウエスト及びヒップが増加した人物モデルが通信端末Ｔの表示部に表示される。
【００６１】
このように、表示制御部３１は、パラメータ変更部３４によるパラメータの変更に連動して、人物モデルのうちパラメータを変更すべき特定部位の形状又は大きさを連続的に変化させて表示部に表示する。これにより、ユーザＵは直感的な操作で人物モデルに設定されたパラメータを変更することができる。ゆえに、ユーザＵは衣類の製造者に伝達する体形情報を簡便に修正できる。
【００６２】
なお、ユーザＵは、第２オブジェクト４２を変位させることに加えて、人物モデルの部位を直接操作することにより、体形情報を変更することもできる。図８（ａ）−（ｂ）に示すように特定部位がウエスト及びヒップである場合には、ユーザＵは人物モデルの腰部を操作することで、体形情報を変更することもできる。具体的には、ユーザＵが人物モデルの腰部をピンチインすることにより、ウエスト及びヒップのサイズを小さくすることができる。同様に、ユーザＵが人物モデルの腰部をピンチアウトすることにより、ウエスト及びヒップのサイズを大きくすることができる。これにより、ユーザＵは直感的な操作で人物モデルに設定されたパラメータを変更することができる。
【００６３】
さらに、通信端末Ｔの表示部には、特定部位に設定されたパラメータの具体的な値が表示される。例えば、図８（ａ）−（ｂ）は特定部位がウエスト及びヒップである場合の例であるため、通信端末Ｔの表示部にはウエスト及びヒップのサイズが表示される。これにより、ユーザＵはパラメータの具体的な値を把握しながら変更操作をすることができる。
【００６４】
図９（ａ）−（ｂ）は、実施の形態に係る通信端末Ｔが表示する変更操作画面の別の例を示す図であり、人物モデルに設定された腕部に関するパラメータの変更操作画面を示す図である。図９（ａ）−（ｂ）はともに、人物モデルの複数の部位の中からユーザＵが腕部を特定部位として選択した場合の変更操作画面を示している。このため、図９（ａ）−（ｂ）に示すように、通信端末Ｔの表示部には、人物モデルの腕部のみが実線で描画され、他の部位は破線で描画された人物モデルが表示される。これにより、ユーザＵは変更操作画面を一見してすぐに特定部位を把握することができる。
【００６５】
図９（ａ）−（ｂ）に示す腕部をはじめとして、脚部、首部等の多くの部位は、長さと太さとの少なくとも二つのパラメータが設定されている。このため、オブジェクト表示部３１２は、操作領域４０に、第１オブジェクト４１が延在する方向とは異なる方向に向かって延在する第３オブジェクト４３と、ユーザＵの操作に応じて第３オブジェクト４３上を移動する第４オブジェクト４４とを通信端末Ｔの記表示部に表示させる。
【００６６】
パラメータ変更部３４は、腕部に設定された形状に関するパラメータのうち、第２オブジェクト４２の変位方向に対応するパラメータを第２オブジェクト４２の変位量に基づいて変更する。同様に、パラメータ変更部３４は、腕部に設定された形状に関するパラメータのうち、第４オブジェクト４４の変位方向に対応するパラメータを第４オブジェクト４４の変位量に基づいて変更する。
【００６７】
図９（ａ）−（ｂ）に示す例では、第２オブジェクト４２は人物モデルの腕の太さに対応し、第４オブジェクト４４は人物モデルの腕の長さに対応している。図９（ａ）において斜線を付した矢印で示すように、ユーザＵが第３オブジェクト４３を図中上方に変位させたとする。この結果、図９（ｂ）に示すように、人物モデルの腕の長さは図９（ａ）に示されている人物モデルの腕の長さよりも短くなる。このように、ユーザＵは直感的な操作で人物モデルに設定されたパラメータを変更することができる。図示はしないが、表示制御部３１は、人物モデルにおける腕部以外の他の部位に関する変更操作画面を通信端末Ｔの表示部に表示させることができる。
【００６８】
なお、図示はしないが、オブジェクト表示部３１２は、第１オブジェクト４１や第２オブジェクト４２等のユーザＵが変更可能な操作アイテムを表示することに替えて、あるいはこれに加えて、例えば腕が長い・普通・短い、脚が太い・普通・細い、肩がいかり肩・普通・なで肩といったような、ユーザＵが選択可能な選択肢を表示するようにしてもよい。これにより、ユーザＵは単に選択するといった単純な選択操作によって、人物モデルに設定されたパラメータを変更することができる。
【００６９】
図１０は、実施の形態に係るパラメータデータベースのデータ構造を模式的に示す図である。パラメータデータベースは衣類受注管理装置１の記憶部２０に格納されており、パラメータ設定部３３及びパラメータ変更部３４が管理する。
【００７０】
図１０に示すように、実施の形態に係るパラメータデータベースは、各着用者を特定するための着用者識別子毎に、その着用者の体形情報を表す複数のパラメータが設定されている。図１０に示す例では、着用者識別子がＵＩＤ００００１の着用者は身長１７３センチメートル、体重６３キログラムの男性であり、下着の種類はタイプＣである。その他、体脂肪率や肩幅等の種々のパラメータが設定されている。
【００７１】
モデル表示部３１０は、着用者識別子に基づいてパラメータデータベースを参照することにより、着用者の体形情報を反映した人物モデルを生成することができる。また、パラメータ変更部３４は、操作領域４０におけるユーザＵの操作に連動して変更したパラメータをパラメータデータベースに格納することにより、変更を記録することができる。
【００７２】
このように、ユーザＵは操作領域に設定された操作用のオブジェクトを操作することでパラメータを変更できるが、ユーザＵによる変更の自由度が大きすぎると、かえって体形情報の入力に関するユーザビリティを低下させかねない。
【００７３】
そこで、表示制御部３１のオブジェクト表示部３１２は、体形情報に基づいて第２オブジェクト４２又は第４オブジェクト４４が移動可能な範囲を設定してもよい。例えば、着用者の身長、体重及び性別が分かれば、統計的におよそ取り得る体脂肪率の範囲が決まると考えられる。
【００７４】
図１１は、実施の形態に係る可動範囲設定データベースのデータ構造を模式的に示す図である。可動範囲設定データベースは衣類受注管理装置１の記憶部２０に格納されており、オブジェクト表示部３１２が管理する。図１１に示すように、可動範囲設定データベースは、各部位に設定されるパラメータの上限値及び下限値を格納している。例えば人物モデルの首の長さの設定範囲は、その人物モデルに設定された身長によって定められる。首回りや肩幅、足の長さ等のパラメータも同様である。このように、ユーザＵが体形情報を変更するためのオブジェクトを操作する際に設定可能な範囲を制限することにより、パラメータ設定時のユーザビリティを向上することができる。
【００７５】
＜衣類受注管理装置１が実行する情報処理の処理フロー＞
図１２は、実施の形態に係る衣類受注管理装置１が実行する情報処理の流れを説明するためのフローチャートである。本フローチャートにおける処理は、例えば衣類受注管理装置１が起動したときに開始する。
【００７６】
モデル表示部３１０は、形状及び大きさに関するパラメータが設定された１以上の人物モデルを通信端末Ｔの表示部に表示させる（Ｓ２）。モデル選択受付部３２１は、表示部に表示された１以上の人物モデルの中から１つの人物モデルを選択する選択操作をユーザから受け付ける（Ｓ４）。
【００７７】
変更操作受付部３２２は、ユーザが選択した人物モデルに対する変更操作を受け付ける（Ｓ６）。パラメータ変更部３４は、ユーザからの変更操作に連動して、人物モデルに設定されたパラメータを変更する（Ｓ８）。モデル表示部３１０は、パラメータが変更された人物モデルを通信端末Ｔの表示部に表示させる（Ｓ１０）。
【００７８】
モデル表示部３１０がパラメータ変更後の人物モデルを通信端末Ｔの表示部に表示させると、本フローチャートにおける処理は終了する。
【００７９】
＜衣類受注管理装置１が奏する効果＞
以上説明したように、実施の形態に係る衣類受注管理装置１によれば、衣類の発注者が製造者に伝達する体形情報の精度を向上させることができる。特に、ユーザＵは通信端末Ｔの表示部に表示された複数の人物モデルの中から単純に一つの人物モデルを選択する操作によって、着用者の体形と類似した体形の人物モデルを選択することができる。
【００８０】
また、衣類受注管理装置１は通信端末Ｔの表示領域に表示されたＧＵＩにおけるユーザＵの操作と連動して人物モデルに設定されたサイズに関するパラメータを変更する。これにより、ユーザＵは人物モデルのパラメータを簡易な操作で直感的に変更することができる。
【００８１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。以下、そのような変形例を説明する。
【００８２】
＜第１の変形例＞
上記では、衣類受注管理装置１がいわばウェブサーバとして動作してユーザＵの通信端末ＴにＧＵＩを提供する場合について説明した。これに替えて、あるいはこれに加えて、通信端末Ｔが専用のアプリケーションを実行することにより、通信端末Ｔの表示部に各ＧＵＩを表示するようにしてもよい。これは例えば通信端末Ｔが衣類受注管理装置１又は専用のサーバにアクセスしてアプリケーションをダウンロードし、通信端末Ｔにインストールすることで実現できる。
【００８３】
＜第２の変形例＞
上記では、衣類受注製造システムＳにおいて衣類を製造する装置が無縫製編み機３である場合について主に説明した。しかしながら、衣類受注製造システムＳが衣類を製造させる装置は無縫製編み機３に限られない。各パーツを生地から切り取り縫製する工程（カット＆ソー）を含むオートメーション工場等において衣類を製造する場合であっても、実施の形態に係る衣類受注管理装置１が通信端末Ｔに提供するＧＵＩを適用することができる。
【符号の説明】
【００８４】
１・・・衣類受注管理装置
２・・・無縫製編み機制御装置
３・・・無縫製編み機
４・・・プラント
５・・・店舗
１０・・・通信部
２０・・・記憶部
３０・・・制御部
３１・・・表示制御部
３２・・・受付部
３３・・・パラメータ設定部
３４・・・パラメータ変更部
３１０・・・モデル表示部
３１１・・・操作領域表示部
３１２・・・オブジェクト表示部
３２０・・・体形情報受付部
３２１・・・モデル選択受付部
３２２・・・変更操作受付部
３２３・・・下着選択受付部
３２４・・・部位選択受付部
Ｓ・・・衣類受注製造システム
Ｔ・・・通信端末
【図１】
2018180989.tif 000003
【図２】
2018180989.tif 000004
【図３】
2018180989.tif 000005
【図４】
2018180989.tif 000006
【図５】
2018180989.tif 000007
【図６】
2018180989.tif 000008
【図７】
2018180989.tif 000009
【図８】
2018180989.tif 000010
【図９】
2018180989.tif 000011
【図１０】
2018180989.tif 000012
【図１１】
2018180989.tif 000013
【図１２】
2018180989.tif 000014